(57)【要約】  本発明は、靴の分野に適用可能な滑り止め付きトレッドであって、ヒール及び前方ハーフソールに対応する、胞状構造を有する２つのエリアを有しており、胞状構造のセルが、漏斗状面を形成するために孔（３）に集まる壁部（２）かならる、トレッドに関する。各孔（３）は、貫通孔であり、すなわち、トレッド（１）の厚さをまっすぐ貫通し、且つトレッド（１）の内部に形成された、側方流出のための横断チャネル（４）と連通している。
2016533207.tif 000002
【特許請求の範囲】
【請求項１】
漏斗状面を形成するために、孔（３）に集まる壁部（２）からなる任意の形状のセルを有する胞状構造と、
トレッドの厚さを真っ直ぐ貫通する孔（３）であって、正面図では所定の列を形成し、前記所定の列が、側面図では前記トレッドの内部に形成された横断チャネル（４）に対応する、孔（３）と、
を備えることを特徴とする滑り止め付きトレッド。
【請求項２】
前記胞状構造の前記セルの前記壁部（２）から形成された前記漏斗状面が、舗装道路上での圧縮中に地面に押しつぶされ、これにより、地面上で前記漏斗状面のサイズを拡大し、前記壁部が、前記孔（３）に集まることを特徴とする請求項１に記載の滑り止め付きトレッド。
【請求項３】
前記胞状構造の前記セルの前記壁部（２）から形成された前記漏斗状面における前記舗装道路上での圧縮が、水を前記孔（３）内に押し込み、そして、前記トレッド（１）の内部に形成された前記横断チャネル（４）内に水を流入させて横方向に外部に流すことを特徴とする請求項１又は２に記載の滑り止め付きトレッド。
【発明の詳細な説明】
【技術分野】
【０００１】
本発明は、靴の分野に適用可能な、胞状構造を有する滑り止め付きトレッドであって、側方流出のための内部横断チャネルと連通する孔を有する、滑り止め付きトレッドに関する。
【背景技術】
【０００２】
靴の分野では、濡れた硬い舗道上での歩行が、極めて軟らかいゴムから形成されたソールを有する靴によって容易にされ、ソール上では、トレッドが、滑ることを防止し且つ体の安定性のコントロールを維持することに役立つ特別なノッチ又は溝で区切られていることが公知である。
【０００３】
シューズが置かれる地面が、自然地盤である場合、より良好なグリップを保証するために、地面上に置かれたソールの一部が、トレッドを成形することと、地面に突き刺して適合させることと、によって得られる可変深さの隆起部分を有する構成からなるトレッドを有し、良好なグリップを保証することが公知である。隆起部分が前もって設計されたとしても、地面が濡れた滑らかな表面である場合にも、上述した隆起部分は、地面上でのシューズの良好なグリップを保証する。これは、隆起部分の存在が、前記表面とのソールの接触面を減少させ、キャビティ内に水を保持するためである。
【０００４】
ソールの滑り止め特性は、通常、それらが形成される材料であって、軟らかいゴムでなければならない、材料のタイプによって、且つトレッドの構成又はパターンによって与えられる。
【０００５】
トレッドの構成又はパターンは、特別には、塗れた舗装道路上でのソールの圧縮中に、それらからできるだけ多くの水が流出することを容易にするように設計される。
【０００６】
靴の分野における現在最先端の技術では、アクアプレーニングを防止するように構成されたボート靴と呼ばれる靴があり、アクアプレーニングは、水の膜がトレッドと地面との間に形成されるときに生じ、結果として、グリップ及び使用者のバランスを無くさせる。
【０００７】
アクアプレーニングを防止するために、この靴は、ソール内に形成された小さいノッチを有する完全に滑らかなトレッドを有するソールを有しており、このソールは、排他的ではなく通常ゴムから形成され、通常の歩行中に、前記ノッチの開放を引き起こし、これらノッチは、濡れた硬い舗装道路にわたってそれらノッチの全表面を広げて、トレッドにおける舗装道路との好ましくは直接的な接触の下で水を吸引するが、それと同時に、地面との接触面を減少させる。現在最先端の技術では、特許文献１には、コットン繊維又は同様の材料を、内部チャネルと連通する孔を有するトレッドの特に凹所内に挿入することが開示されている。トレッドは、コットン繊維で充填された孔内に集まる壁部を有するセルを有する構造を有し、しかしながら、孔は、歩行中に漏斗の機能を有することができない。これは、これら繊維が、水を自由且つ迅速に排出することを防止するバリアを形成するためである。このため、水分吸収要素は、当該特許出願の特許請求の範囲で常に言及される。
【０００８】
さらに、地面上での良好なグリップのために必要な、トレッドの軟らかいゴム（又は同様の材料）の接触面は、特許文献１ではほとんど実在しない。これは、トレッドのほぼ全表面が、水分を吸収するために準備されたコットン繊維要素によって占められるためであり、これら要素は、適切なグリップを保証しない。前記要素のコットン繊維が、それら繊維がトレッドに接着されるときにそれら繊維の吸収容量の一部をなくすことと、吸収容量を地面上での使用中に短い時間の経過で完全になくすことと、という事実は、言うまでもなく、人は、通常、繊維を詰まらせるさまざまな他の物質と混合された水の上を歩行し、繊維は、乾いたときには、まさに反対の効果、すなわちスリップを生じさせる可能性がある。
【０００９】
シューズソールのために説明したものと同様に、タイヤトレッドも、スライド及び自動車によるアクアプレーニングから生じる地面上でのグリップの問題を解決しなければならないという事実が、例として挙げられる。
【００１０】
また、前記タイヤは、極めて軟らかいゴムから製造され、それらの表面に特別なノッチ又は溝を有し、これらノッチ又は溝は、それらからの水の好ましい排出によって、タイヤの面と濡れたアスファルト又は舗装道路との間の水の膜の形成（アクアプレーニング）を防止する。
【００１１】
タイヤの表面に形成された溝又はノッチは、タイヤの下方の部分から水を取り除くために必要な空間を作り出すために使用される。良好なグリップの維持は、タイヤ軸に沿って延びるトレッドの広い溝又はノッチによって保証される。トレッドの溝又はノッチの表面と、隆起部分の表面と、の間の関係は、タイヤの地面との全接触面に影響を及ぼす。従って、大量の溝又はノッチが、塗れた道路上でのより良好な水除去能力と引き換えに、乾いた道路上でのより小さいタイヤグリップを示す。
【００１２】
周知なように、地面上での最高のグリップを有するために、レーシングカーは、２つのタイプのタイヤ：一方のタイヤは、乾いた道路上で使用されるために滑らかであり、その全表面を地面と接触して完全利用し、他方のタイヤは、さまざまな程度で溝が付けられ、タイヤが地面上に存在する水を除去する能力を有するので道路が濡れているときに使用され、これによりアクアプレーニングを防止する、２つのタイプのタイヤを使用する。
【００１３】
この例を靴の分野に適用することによって、市場のトレッドよりもより良好なグリップを有するトレッドを有するために、上述した特性の双方、すなわち、より良好なグリップのための地面との最大限の接触面と、アクアプレーニングを防止するために地面とぶつかった時点でできるだけ多くの水を放出する能力と、を有しなければならないことが推測できる。
【先行技術文献】
【特許文献】
【００１４】
【特許文献１】米国特許出願公開第２００９／０９００３１号明細書
【発明の概要】
【発明が解決しようとする課題】
【００１５】
本発明の目的は、塗れた硬い舗装道路上で滑らないトレッドを作り出すことである。
【００１６】
本発明の別の目的は、アクアプレーニングを防止することができるトレッドを作り出すことである。
【００１７】
本発明の別の目的は、トレッドのノッチ又は溝の内部に水を保持すると同時により良好なグリップのために地面とのその全接触面を利用することによって、地面とぶつかったときに舗装道路からの水の完全且つより迅速な放出を可能にするトレッドを作り出すことである。
【００１８】
本発明の別の目的は、滑り止めがあり且つ反アクアプレーニング型のトレッドであって、トレッドと地面との間のより大きい接触面を有する、トレッドを作り出すことである。本発明の別の目的は、公知の製品、例えばシューズ又はブーツシューズに容易に組み込むことができる滑り止め付きトレッドを作り出すことである。
【００１９】
本発明のさらなる目的は、濡れた硬い舗装道路上でのより良好なグリップをもたらすトレッドを作り出すことである。
【００２０】
本発明のさらに別の目的は、滑り止めがあり且つ反アクアプレーニング型であると同時に任意のタイプの表面上を歩行する間にも優れた快適性を保証する、靴のためのソールトレッドを作り出すことである。
【課題を解決するための手段】
【００２１】
これらの目的及び他の目的は、トレッドの内部に形成された側方流出のための横断チャネルと連通する孔を有する胞状構造を有する滑り止め付きトレッドに関する本発明により達成される。
【００２２】
本発明のさらなる特徴及び利点は、好ましいが排他的でない、図面に非限定的に示された、本特許出願の対象である製品の好ましい実施形態の説明からより容易に明らかになるであろう。
【図面の簡単な説明】
【００２３】
【図１】ヒール及び前方ハーフソールに対応する、胞状構造を有する２つの範囲を有するシューズの滑り止め付きソールのトレッド（１）の正面図であって、胞状構造のセルが、漏斗状面を形成するために孔（３）に集まる壁部（２）からなる、図を示す。
【図２】横断チャネル（４）が強調された滑り止め付きソールのトレッド（１）の側面図を示す。
【図３】壁部（２）が集まる孔（３）が貫通孔である、すなわち孔が、トレッド（１）の厚さを真っ直ぐ貫通し、且つその上を歩行される水の側方流出のためにソールの内部の横断チャネル（４）と連通していることが強調された、滑り止め付きソールのトレッド（１）の断面図を示す。
【図４】滑り止め付きソールの胞状構造を有するトレッド（１）の不等角投影図を示す。
【図５】シューズの滑り止め付きソールのトレッド（１）の細部を示す。
【発明を実施するための形態】
【００２４】
好ましいが非限定的な実施形態によれば、本発明は、靴のための滑り止め付きトレッド（１）であって、このトレッドが、ヒール及び前方ハーフソールに対応する、胞状構造を有する２つの範囲を有しており、胞状構造のセルが、漏斗状面を形成するために孔（３）に集まる壁部（２）からなる、トレッド（１）に関する。各孔（３）は、貫通孔であり、すなわち、孔は、トレッド（１）の厚さを真っ直ぐ貫通し、且つトレッド（１）の内部に形成された横断チャネル（４）と連通している。
【００２５】
用語、胞状構造は、漏斗状面を模倣するために孔（３）に集まる壁部（２）を有する任意の形状のセル又は空洞連形の構造を意味し、孔（３）内には、水が、浸透し、横断チャネル（４）内に押し込まれるか又は運ばれ、その後、横方向に流出する。
【００２６】
本出願の図で表す“六角形”状の胞状構造は、本特許出願の単に好ましい構造であり、非限定的である。
【００２７】
図１の正面図では、ソールのトレッド（１）において、水平方向に孔（３）の列が設けられており、この孔（３）の列が、図２の側面図において内部横断チャネル（４）に対応していることが分かる。
【００２８】
壁部（２）が漏斗状面を作り出すために孔（３）に集まる、トレッド（１）の特別な胞状構造は、濡れた硬い表面上での通常歩行の間に、人が滑らないことを保証する。これは、脚の圧縮時に、前記構造が、その上を歩行される水が、ソールの内部に押し込まれ、水が、孔（３）を通って流れるときに、内部横断チャネル（４）に流入し、その後、横方向に外部に流れるためである。
【００２９】
歩行中に、人の体重がシューズにかけられると、水は、地面に押しつぶされるトレッド（１）の胞状構造の漏斗状面と、圧縮に起因する、結果として生じる漏斗状面の地面上での拡大と、により、孔（３）内に押し込まれ、その後、内部横断チャネル（４）に流入し、横方向に外部に流れる。従って、内部横断チャネル（４）は、ソールのトレッド（１）が内部に蓄積する水のための排水路である。
【００３０】
地面上での脚の圧縮中に地面に押しつぶされるトレッド（１）の胞状構造の漏斗状面と、結果として生じる孔（３）を通って内部に向かう水の押し込みと、は、トレッド（１）が、塗れた地面でのより良好なグリップを有することと、本発明が設けられたソールの使用者に、より良好なバランスを与えることと、を保証する。
【００３１】
さらに、ソールのトレッド（１）の胞状構造は、漏斗状面から形成され且つ従って大きな突出部がないので、それを使用する使用者に、塗れていいようと乾いていようとすべてのタイプの表面でより優れた快適性を与える。
【００３２】
滑り止め付きトレッド（１）を形成するために、それを形成するための手順はあまり重要ではない。これは、前記滑り止め付きトレッド（１）が、胞状面と、外形上に形成された内部横断チャネル（４）と、を有するトレッド（１）からなる単一体であるか、横断チャネル（４）が形成された中間ソールに接着された胞状面を有するトレッド（１）からなるためである。
【００３３】
上述され、添付の図面に示され且つ以下で特許請求の範囲に規定される本発明の材料及び寸法は、要求に従っていかなる種類からなることもできる。さらに、すべての細部は、他の技術的に同等なもので置換することができ、このために本特許出願の保護範囲から外れることはない。
【符号の説明】
【００３４】
１  トレッド、２  壁部、３  孔、４  横断チャネル
【図１】
2016533207.tif 000003
【図２】
2016533207.tif 000004
【図３】
2016533207.tif 000005
【図４】
2016533207.tif 000006
【図５】
2016533207.tif 000007
【国際調査報告】
2016533207.tif 000008
2016533207.tif 000009